(57)【要約】【課題】時計構成部品のための半径方向クランプ・システムを提供すること。【解決手段】本発明は、支持要素（３）を受け入れるためのアパーチャ（７）を有する時計構成部品（１）に関し、該時計構成部品は、時計構成部品を支持要素に固定可能にする半径方向の力を作用させるクランピング・システム（１３）を含む。本発明によれば、クランピング・システム（１３）は、半径方向の力を作用させるクラウン部（６）と、アパーチャから離間して配置されて、クラウン部の移動を可能にする同心有底凹部（８）とを有する半径方向クランピング装置（１５）を含む。本発明は時計の分野に関する。【選択図】      図１
2010217185.tif 000002
【特許請求の範囲】
【請求項１】
支持要素（３）を受け入れるためのアパーチャ（７）を有する時計構成部品（１）であって、該時計構成部品を前記支持要素に固定するために半径方向の力を作用させるクランピング・システム（１３）を含む時計構成部品において、
前記クランピング・システム（１３）が、前記半径方向の力を作用させるクラウン部（６）と、前記アパーチャから離間して配置されて、前記クラウン部の移動を可能にする同心有底凹部（８）とを含む半径方向クランピング装置（１５）を有し、
前記クランピング・システム（１３）が、前記クラウン部（６）の自由端部の移動を制限するように前記有底凹部と協働するカラー（１８）を備えた、ロック・キー（１０）を含むロッキング装置（１７）を有する、
ことを特徴とする時計構成部品。
【請求項２】
前記クラウン部が切り目を付けられて、前記アパーチャの回りに複数の独立したストリップ（１２）を形成する、
ことを特徴とする請求項１に記載の時計構成部品。
【請求項３】
前記クラウン部（６）の内側セクション（１４）が、前記半径方向の力を局所的に増大させるように円錐台状部を切り取られている、
ことを特徴とする請求項２に記載の時計構成部品。
【請求項４】
前記内側セクション（１４）が、前記支持要素に対して各ストリップ（１２）の自由端部において半径方向の力の最大量を作用するように、前記クラウン部（６）の自由端部において小さくなっている、
ことを特徴とする請求項３に記載の時計構成部品。
【請求項５】
前記カラー（１８）の内側セクション（１９）は、前記ロッキングが漸次的に達成されるように円錐台状部を切り取られている、
ことを特徴とする請求項１〜４の何れかに記載の時計構成部品。
【請求項６】
前記時計構成部品（１）がほぼ円盤形状のものであり、ホイール・セットを形成する円周方向歯を有する、
ことを特徴とする請求項１〜５の何れかに記載の時計構成部品。
【請求項７】
請求項１〜６の何れかによる少なくとも１つの時計構成部品を含むことを特徴とする時計。
【発明の詳細な説明】
【技術分野】
【０００１】
本発明は、時計構成部品のための半径方向クランプ・システムに関し、より詳細には、例えば、枢動軸部などの支持要素に当該構成部品を固定するこの形式のシステムに関する。
【背景技術】
【０００２】
受け板と底板との間の枢動軸部上の時計ホイール・セットに中央貫通孔を設けることにより、該ホイール・セットを固定することは公知である。この構成は、金属材料で特に広範に使用されている。しかしながら、これは、塑性変形域が実質的に存在しない脆性材料に適用することはできない。
【発明の概要】
【発明が解決しようとする課題】
【０００３】
本発明の目的は、半径方向クランピング・システムが材料の弾性変形域をもっぱら利用して支持要素に固定する時計構成部品を提案することにより、上述の欠点の全て又は一部を克服することである。
【課題を解決するための手段】
【０００４】
従って、本発明は、時計構成部品に関し、該時計構成部品は、支持要素を受け入れるためのアパーチャと、該時計構成部品を支持要素に固定できるようにする半径方向の力を作用させるクランピング・システムとを有する。時計構成部品は、クランピング・システムが、半径方向の力を作用させるクラウン部と、アパーチャから同心状に離間して配置されてクラウン部の移動を可能にする同心有底凹部とを有する半径方向クランピング装置を含む、ことを特徴とする。
【０００５】
本発明の他の有利な特徴によれば、
−  クラウン部が切り目を付けられて、アパーチャの回りに複数の独立したストリップを形成し、
−  クラウン部の内側セクションが、半径方向の力を局所的に増大させるように先端が切り取られ、
−  内側セクションが、支持要素に対して各ストリップの自由端部において半径方向の力の最大量を作用するように、クラウン部の自由端部において小さくなっており、
−  クランピング・システムが更に、支持要素に対する力の最小量を確実に維持するようにするロッキング・システムを含み、
−  該ロッキング・システムが、クラウン部の自由端部のクリアランスを制限するように有底凹部と協働するカラーを備えたロック・キーを含み、
−  該カラーの内側セクションは、ロッキングが漸次的に達成されるように先端が切り取られ、
−  時計構成部品が、ほぼ円盤形状のものであり、ホイール・セットを形成する円周方向歯を有する。
【０００６】
本発明はまた、前出の変形形態の何れかによる少なくとも１つの時計構成部品を含むことを特徴とする時計に関する。
【図面の簡単な説明】
【０００７】
【図１】本発明による支持要素上に装着された時計構成部品の斜視図である。
【図２】本発明による時計構成部品の断面図である。
【図３】図２の１つの部品の拡大図である。
【図４】本発明による時計構成部品の平面図である。
【発明を実施するための形態】
【０００８】
他の特徴及び利点は、添付図面を参照しながら、非限定的な例証として与えられる以下の説明からより明らかになるであろう。
【０００９】
図１から４に示すように、本発明は、支持要素３と協働する、全体的に参照符号１で示された時計構成部品に関する。以下で使用する実施例において、時計構成部品１は、ほぼ円盤状のホイール・セットであり、支持要素３は円形断面の円筒軸部である。しかしながら、これらはこの形態に限定されない。
【００１０】
図１に見える実施例は、支持要素３上に装着された時計構成部品１を示している。支持要素３は、好ましくは、ピニオン４と一体化された軸部２を含む。時計構成部品１は、アパーチャ７、４つのアーム９、及び歯付き輪縁１１を備えたハブ５を有する。有利には、本発明によれば、時計構成部品１は、構成部品を貫通するアパーチャ７の回りに位置付けられるクランピング・システム１３によって支持要素３上に装着される。
【００１１】
クランピング・システム１３は、時計構成部品１を支持要素３に固定するために軸部２に半径方向の力を作用させることを目的とする。クランピング・システム１３は、結晶質シリコン、炭化ケイ素、結晶質シリカ、又は結晶質アルミナなどの材料に対して常に可能であるとは限らない、押し込みシステムに対する代替形態である。
【００１２】
クランピング・システム１３は、好ましくは、半径方向クランピング装置１５とロッキング装置１７とを含む。クランピング装置１５は主に、クラウン部６及び凹部８を含む。クラウン部６は、軸部２の外表面をクランプすることを目的とする。クラウン部は、好ましくは切り目が付けられ且つ複数のストリップ１２を有し、このストリップの内側セクション１４がアパーチャ７の縁部を形成し、クラウン部６の移動を局所的に良好に制御する。従って、有利には本発明によれば、各ストリップ１２は独立しており、これに作用する実際の力に応じて弾性的に移動する。
【００１３】
図３に示すように、内側セクション１４は、角度αで円錐台状部を切り取られ、クランピング力を局所的に増大させるようにしている。従って、図１から４に示す実施例では、アパーチャ７の上部セクションは、底部セクションよりも小さくなる。本発明によれば、角度αは、約０度から５度の間とすることができる。従って、クランピング装置１５のクラウン部６のクランピング力は、その自由端部で、すなわちストリップ１２の端部で最大になることは明らかである。
【００１４】
凹部８は、クラウン部６が移動可能にすることを目的とする。本発明によれば、凹部８は、好ましくは有底凹部であり、各ストリップ１２間でアパーチャ７と連通している。従って、各ストリップ１２は、凹部８とアパーチャ７との間を独立して左右に移動することができる。好ましくは、本発明によれば、凹部８はまたロッキング装置１７と協働する。
【００１５】
本発明によれば、凹部８の深さは、時計構成部品の作動に応じて時計構成部品の厚みの５から８５％の間とすることができる。
【００１６】
ロッキング装置１７は、全体の位置決めが満足できるものとみなされるときに、ストリップ１２の横方向の移動を制限することによって、クランピング・システム１３が軸部２に対する力の最小量を確実に維持するようにすることを目的とする。従って、ロッキング装置１７は、ほぼ円盤状のロック・キー１０を有し、該キーは、孔１６と、その底面上にカラー１８とを有する。
【００１７】
孔１６は、好ましくは貫通孔であり、その内側セクションが軸部２の外形よりも大きく、該軸部がどのような押し込みも必要とせずに滑動することができるようにする。カラー１８は、ほぼ環状形状のものであり、その内側セクション１９が、ストリップ１２１を漸次的に所定位置にロックするように、ほぼ円錐台状部を切り取られている。
【００１８】
その結果、図３を参照すると、ロック・キー１０は、孔１６を通って軸部２に接して滑動し、カラー１８が凹部８内に受けられるようになることが分かる。従って、挿入されると、カラー１８は、ストリップ１２を所定位置にロックすることによって凹部に向けたストリップ１２の移動を阻止し、内側セクション１９に当接させる。
【００１９】
時計構成部品１は、ミクロンよりも小さな精度を達成できるように、マイクロ機械加工可能な材料で作られるのが好ましい。これらの材料は、例えば、限定ではないが、炭化ケイ素、結晶質シリコン、結晶質アルミナ、又は結晶質シリカとすることができる。材料は、必要な精度に応じて、特にディープ反応性イオン・エッチング技法（ＤＲＩＥ）を用いてエッチングすることができる。更に、ロック・キー１０は、例えば金属のような延性材料から形成されるのが好ましい。
【００２０】
勿論、本発明は、例示の実施例に限定されず、当業者には明らかであろう種々の変形形態及び代替形態が可能である。詳細には、想起される応用及び／又は使用材料に応じて、それぞれのアパーチャ７に対する距離とすることができる凹部８及びカラー１０の寸法が異なることができる。
【符号の説明】
【００２１】
１  時計構成部品；  ２  軸部；  ３  支持要素；  ４  ピニオン；  
５  ハブ；  ６  クラウン部；  ８  同心有底凹部；  ９  アーム；  
１１  歯付き輪縁。
【図１】
2010217185.tif 000003
【図２】
2010217185.tif 000004
【図３】
2010217185.tif 000005
【図４】
2010217185.tif 000006